【手続補正書】
【提出日】平成16年6月4日(2004.6.4)
【手続補正１】
【補正対象書類名】明細書
【補正対象項目名】特許請求の範囲
【補正方法】変更
【補正の内容】
【特許請求の範囲】
【請求項１】
複数の無線セルにより構成される無線通信システム内で使用される撮像装置であって、
無線セルを構成する無線基地局から該無線基地局の識別情報を受信する受信手段と、
画像を撮像する撮像手段と、
画像情報を記録するための画像領域と付加情報を記録する付加情報領域とを含む記録媒体に情報を記録する記録手段と、
を有し、前記記録手段は、前記撮像手段による撮像に係る画像情報を所定の形式で前記画像領域に記録する他、前記受信手段により受信した識別情報を所定の形式で前記付加情報領域に記録することを特徴とする撮像装置。
【請求項２】
前記撮像手段は、動画を撮像する機能を有することを特徴とする請求項１に記載の撮像装置。
【請求項３】
前記受信手段により受信される無線基地局の識別情報の変化に基づいて、自己が属する無線セルの変更を検知する移動検知手段を更に備え、
前記記録手段は、前記移動検知手段により自己が属する無線セルの変更が検知された場合に、前記付加情報領域にサーチ用の指標を記録する手段を有することを特徴とする請求項２に記載の撮像装置。
【請求項４】
前記受信手段により受信される無線基地局の識別情報の変化に基づいて、自己が属する無線セルの変更を検知する移動検知手段を更に備え、
前記記録手段は、前記移動検知手段により自己が属する無線セルの変更が検知された場合に、変更に係る無線基地局の識別情報をサーチ用の指標と関連付けて前記付加情報領域に記録する手段を有することを特徴とする請求項２に記載の撮像装置。
【請求項５】
前記受信手段により受信される無線基地局の識別情報の変化に基づいて、自己が属する無線セルの変更を検知する移動検知手段を更に備え、
前記記録手段は、前記移動検知手段により自己が属する無線セルの変更が検知された場合に、変更に係る無線基地局の識別情報を絶対トラック番号情報と関連付けて前記付加情報領域に記録する手段を有することを特徴とする請求項２に記載の撮像装置。
【請求項６】
前記無線基地局と前記絶対トラック番号とが関連付けて記録される付加情報領域は、ＴＯＣ情報部であることを特徴とする請求項５に記載の撮像装置。
【請求項７】
前記受信手段により受信される無線基地局の識別情報の変化に基づいて、自己が属する無線セルの変更を検知する移動検知手段を更に備え、
前記記録手段は、前記移動検知手段により自己が属する無線セルの変更が検知された場合に、変更に係る無線基地局の識別情報を時刻情報と関連付けて前記付加情報領域に記録する手段を有することを特徴とする請求項２に記載の撮像装置。
【請求項８】
前記無線基地局と前記時刻情報とが関連付けて記録される付加情報領域は、ＴＯＣ情報部であることを特徴とする請求項７に記載の撮像装置。
【請求項９】
前記記録媒体は、磁気テープを含むことを特徴とする請求項１乃至請求項８のいずれか１項に記載の撮像装置。
【請求項１０】
前記記録媒体は、磁気ディスクを含むことを特徴とする請求項１乃至請求項８のいずれか１項に記載の撮像装置。
【請求項１１】
前記撮像装置は、光学ディスクを含むことを特徴とする請求項１乃至請求項８のいずれか１項に記載の撮像装置。
【請求項１２】
複数の無線セルにより構成される無線通信システム内で使用される撮像装置の制御方法であって、
無線セルを構成する無線基地局から該無線基地局の識別情報を受信する受信工程と、
画像を撮像する撮像工程と、
画像情報を記録するための画像領域と付加情報を記録する付加情報領域とを含む記録媒体に情報を記録する記録工程と、
を有し、前記記録工程では、前記撮像工程で撮像した画像の画像情報を所定の形式で前記画像領域に記録する他、前記受信工程で受信した識別情報を所定の形式で前記付加情報領域に記録することを特徴とする撮像装置の制御方法。
【請求項１３】
前記撮像工程は、動画を撮像する工程を有することを特徴とする請求項１２に記載の撮像装置の制御方法。
【請求項１４】
前記受信工程で受信される無線基地局の識別情報の変化に基づいて、自己が属する無線セルの変更を検知する移動検知工程を更に有し、
前記記録工程では、前記移動検知工程で自己が属する無線セルの変更が検知された場合に、前記付加情報領域にサーチ用の指標を記録する工程を有することを特徴とする請求項１３に記載の撮像装置の制御方法。
【請求項１５】
前記受信工程で受信される無線基地局の識別情報の変化に基づいて、自己が属する無線セルの変更を検知する移動検知工程を更に有し、
前記記録工程では、前記移動検知工程で自己が属する無線セルの変更が検知された場合に、変更に係る無線基地局の識別情報をサーチ用の指標と関連付けて前記付加情報領域に記録する工程を有することを特徴とする請求項１３に記載の撮像装置の制御方法。
【請求項１６】
前記受信工程で受信される無線基地局の識別情報の変化に基づいて、自己が属する無線セルの変更を検知する移動検知工程を更に有し、
前記記録工程では、前記移動検知工程で自己が属する無線セルの変更が検知された場合に、変更に係る無線基地局の識別情報を絶対トラック番号情報と関連付けて前記付加情報領域に記録する工程を有することを特徴とする請求項１３に記載の撮像装置の制御方法。
【請求項１７】
前記無線基地局と前記絶対トラック番号とが関連付けて記録される付加情報領域は、ＴＯＣ情報部であることを特徴とする請求項１６に記載の撮像装置の制御方法。
【請求項１８】
前記受信工程で受信される無線基地局の識別情報の変化に基づいて、自己が属する無線セルの変更を検知する移動検知工程を更に備え、
前記記録工程では、前記移動検知手段により自己が属する無線セルの変更が検知された場合に、変更に係る無線基地局の識別情報を時刻情報と関連付けて前記付加情報領域に記録する工程を有することを特徴とする請求項１３に記載の撮像装置の制御方法。
【請求項１９】
前記無線基地局と前記時刻情報とが関連付けて記録される付加情報領域は、ＴＯＣ情報部であることを特徴とする請求項１８に記載の撮像装置の制御方法。
【請求項２０】
複数の無線セルにより構成される無線通信システム内で使用される撮像装置の制御プログラムを格納したメモリ媒体であって、
無線セルを構成する無線基地局から該無線基地局の識別情報を受信する受信工程の制御コードと、
画像を撮像する撮像工程の制御コードと、
画像情報を記録するための画像領域と付加情報を記録する付加情報領域とを含む記録媒体に情報を記録する記録工程の制御コードと、
を有し、前記記録工程では、前記撮像工程で撮像した画像の画像情報を所定の形式で前記画像領域に記録する他、前記受信工程で受信した識別情報を所定の形式で前記付加情報領域に記録することを特徴とするメモリ媒体。
【請求項２１】
通信端末の位置を識別可能な無線通信システムにおいて使用される撮像装置であって、
遠隔の通信装置と通信することにより前記撮像装置の位置情報を取得する取得手段と、
画像を撮像する撮像手段と、
画像情報を記録するための画像領域と付加情報を記録する付加情報領域とを含む記録媒体に情報を記録する記録手段と、
を有し、前記記録手段は、前記撮像手段による撮像に係る画像情報を所定の形式で前記画像領域に記録する他、前記取得手段により取得した位置情報を所定の形式で前記付加情報領域に記録することを特徴とする撮像装置。